(57)【特許請求の範囲】
【請求項１】
ブラケットによって取付面に固定される手摺り棒の端部に設けられるエンド部材であって、
前記手摺り棒の端面に覆い被さるように嵌装されるキャップ部と、
前記キャップ部と一体に形成され前記手摺り棒の側周面を支持するとともに、前記手摺り棒と前記ブラケットとの間に挟持される断面視して略半円状の支持部とを備えており、
前記キャップ部は、前記手摺り棒の端面を覆う端面部と、前記端面の周縁部とその近傍を覆う短筒状の筒部とを有していることを特徴とするエンド部材。
【請求項２】
請求項１において、
前記支持部は、前記手摺り棒と前記ブラケットを固定する固定具を挿通するための開口部と、前記開口部の周囲に形成され前記ブラケットが嵌め込まれる段差部とを有することを特徴とするエンド部材。
【発明の詳細な説明】
【技術分野】
【０００１】
本発明は、手摺り棒の端部に設けられるエンド部材に関する。
【背景技術】
【０００２】
階段や玄関、廊下などに設けられる手摺りは、壁面や笠木などの取付面に固定されたブラケットによって支持固定されており、従来よりこのような手摺り棒の端部には、有底筒体の保護カバーとなるキャップ部が嵌装されたものが知られている。
【０００３】
下記特許文献１には、手摺り棒の端部に保護カバーを嵌装し、前記保護カバーを介して手摺り棒をブラケットに固定したものが開示されている。
これによれば、保護カバーを取り付けるための専用固定具を要することなく、ブラケットと手摺り棒とを固定具で固定すれば、保護カバーも同時にがたつかないように取り付けることができるとされている。
【先行技術文献】
【特許文献】
【０００４】
【特許文献１】特開２００７−８５１０８号公報
【発明の概要】
【発明が解決しようとする課題】
【０００５】
しかしながら上記特許文献１に記載の保護カバーは、カバー主体とカバー副体とを組み合わせて構成されたものであり、カバー副体はカバー主体に係止されているだけであるので、カバー副体のみ外れてしまうことがある。このようにカバー副体が外れてしまうと手摺りの端面とカバー主体の底面との当接部分が露出してしまい見栄えが悪くなる。また手摺り棒の端部が保護カバーによって嵌装されていない状態になり、手摺り棒の支持力が低下してしまう。
【０００６】
本発明は、上記実情に鑑みなされたものであり、手摺り棒の端部を見栄えよく確実に支持できるエンド部材を提供することを目的とする。
【課題を解決するための手段】
【０００７】
本発明に係るエンド部材は、ブラケットによって取付面に固定される手摺り棒の端部に設けられるエンド部材であって、前記手摺り棒の端面に覆い被さるように嵌装されるキャップ部と、前記キャップ部と一体に形成され前記手摺り棒の側周面を支持するとともに、前記手摺り棒と前記ブラケットとの間に挟持される断面視して略半円状の支持部とを備えており、前記キャップ部は、前記手摺り棒の端面を覆う端面部と、前記端面の周縁部とその近傍を覆う短筒状の筒部とを有していることを特徴とする。
これによれば、支持部とブラケットによる手摺り棒の支持力を補強し、手摺り棒を取付面に対して見栄えよくしっかりと固定支持することができる。また、エンド部材によって手摺り棒が覆われている部分が少ないので、手摺り棒の端部への取付状態において、エンド部材が目立たず、外観をより一層すっきりと構成することができる。
【０００９】
本発明において支持部は、前記手摺り棒と前記ブラケットを固定する固定具を挿通するための開口部と、前記開口部の周囲に形成され前記ブラケットが嵌め込まれる段差部とを有するものとしてもよい。
この場合によれば、支持部の段差部にブラケットを嵌め込めば、ブラケットとエンド部材との取り付け位置の関係が適切になされ、ブラケット及びエンド部材とで手摺り棒を安定して支持し固定することができる。
【発明の効果】
【００１０】
本発明に係るエンド部材によれば、手摺り棒の端部を見栄えよく確実に支持できる。
【図面の簡単な説明】
【００１１】
【図１】（ａ）及び（ｂ）は本発明の一実施形態のエンド部材を示す図であり、（ａ）はその平面図、（ｂ）は図１（ａ）のＸ−Ｘ線縦断面図である。
【図２】（ａ）は同エンド部材の斜視図、（ｂ）は同エンド部材の底面図である。
【図３】（ａ）は同エンド部材の正面図、（ｂ）は同エンド部材の左側面図である。
【図４】（ａ）及び（ｂ）はエンド部材の使用状態の例を示した図である。
【発明を実施するための形態】
【００１２】
以下に本発明における実施の形態の一例について、図１〜図４に基づいて説明する。
本発明におけるエンド部材１は、壁面や笠木などの取付面５に固定されたブラケット４によって支持される手摺り棒６の端部に設けられるものである（図４の使用例参照）。
エンド部材１は、金属材又は硬質樹脂材などからなり、手摺り棒６の端面６０に覆い被さるように嵌装されるキャップ部２と、キャップ部２と一体に形成され手摺り棒６の側周面６１を支持するとともに、手摺り棒６とブラケット４との間に挟持される断面視して略半円状の支持部３とを備えている。
【００１３】
手摺り棒６は木質材又は硬質樹脂材などからなり、中実円筒状に形成されている。エンド部材１の形状は、この手摺り棒６の形状に対応して形成され、図２（ａ）に示すように有底筒体の一部を切欠いたような形状となっている。
ブラケット４は、金属材又は硬質樹脂材などからなり、手摺り棒６が固定される手摺り棒取付座４０と、取付面５に固定される取付座４１とを備えている。手摺り棒６はこのブラケット４によって取付面５に対して略平行に且つ取付面５から所望の間隔を空けた状態で設けられる。
図１（ｂ）の断面図では、手摺り棒６とブラケット４とを固定する１本の固定具７を模式的に２点鎖線で示しているが、好ましくは手摺り棒６がブラケット４に対して複数本の固定具によって強固に固定される。
【００１４】
エンド部材１のキャップ部２は、手摺り棒６の端面６０を覆う端面部２０を有しており、例えばこの端面部２０は図１（ｂ）に示すようにキャップ部２の中心が周辺部より肉厚となり、その外表面が緩やかな丸みを帯びるように形成されているものが好ましい。
またキャップ部２は、手摺り棒６の端面６０の周縁部６２とその近傍を覆う短筒状の筒部２１とを有しており、この筒部２１は手摺り棒６の側周面方向（長手方向）に突出するようにキャップ部２の端面部２０から連なって一体に形成されている。
さらにキャップ部２の端面部２０から筒部２１へ連なる出隅側の角部２２は、図１（ａ）などに示すように丸みを帯びたものとすることが意匠性及び安全面において望ましい。
【００１５】
支持部３は、手摺り棒６の側周面６１を支持するため円筒状の手摺り棒６の側周面６１に沿うように断面視して略半円状に形成されており、この支持部３は図に示すように手摺り棒６の少なくとも下面側を支えるように設けられることが好ましい（図２（ａ）及び図３（ｂ）参照）。このように形成した場合は、支持部３やブラケット４との接合部分が目立たず手摺り棒６の端部周辺をすっきりと構成することができる。
支持部３にはブラケット４に手摺り棒６を固定するための固定具７（図１（ｂ）の２点鎖線参照）が挿通される開口部３０が形成されており、例えば図２（ｂ）に示すように支持部３の大半が開口部３０になっているように大きく形成されているものが好ましい。この場合はブラケット４の手摺り棒取付座４０との位置合わせがしやすく、また安定して手摺り棒６を支持するため大きく形成された手摺り棒取付座４０に対応することができる。
また図２（ｂ）及び図３（ａ）に示すように支持部３の外側面における開口部３０の周囲は段差部３１が形成されている。この段差部３１に合わせてブラケット４の手摺り取付座４０の縁部を嵌め入れれば、ブラケット４とエンド部材１との取り付け位置の関係が適切になされ、ブラケット４及びエンド部材１とで手摺り棒６を安定して支持し固定することができる。よってこの段差部３１はブラケット４との位置決めの役割を果たしている。
【００１６】
以上によれば、キャップ部２は端面部２０と筒部２１とを備え、筒部２１は手摺り棒６の長手方向に突出して形成されるとともに端面部２０から連なって一体に形成されているので、支持部３とブラケット４による手摺り棒６の支持力を補強し、手摺り棒６を取付面５に対して見栄えよくしっかりと固定支持することができる。またこのときエンド部材１を取り付けるための固定具の必要がないので、エンド部材１を手摺り棒６の端部に取り付ける作業が非常に容易である。
特に図１（ｂ）に示すようにのように端面部２０を肉厚に形成すれば、この端面部２０から連なって一体に形成される筒部２１とによってエンド部材１はより強固な構造となり、ブラケット４とともに手摺り棒６をしっかりと支持することができる。例えば、取付面５に対して長手方向縦向きに手摺り棒６を取り付ける場合において（不図示）、その端部に設けられるエンド部材１には手摺り棒６の荷重がかかるがこの高荷重に耐えられる構造とすることができる。
【００１７】
またキャップ部２は、手摺り棒６の端面６０を覆う端面部２０と、端面６０の周縁部６２とその近傍を覆う短筒状の筒部２１とを有し、支持部３は断面視して略半円状に形成されているので、エンド部材１によって手摺り棒６が覆われている部分が少なくすることができ、手摺り棒６の端部への取付状態において、エンド部材１が目立たず、外観をすっきりと構成することができる。
【００１８】
このように形成されたエンド部材１は、様々な形状のブラケット４と手摺り棒６との間に取り付けることができる。
図４（ａ）は取付面５が壁面における使用例を示しており、取付面５から突出するように湾曲した形状のブラケット４と手摺り棒６との間にエンド部材１が取り付けられている。
また図４（ｂ）は取付面５が笠木における使用例を示しており、取付面５から略垂直に突出した形状のブラケット４と手摺り棒６との間にエンド部材１が取り付けられている。
【００１９】
このようにエンド部材１の筒部２１が手摺り棒６における側周面の保護カバーの役割も担っているので、別途保護カバーを取り付ける必要がなく、エンド部材１は１部材からなるので、部品点数を減らすことができる。
また筒部２１は上述したように手摺り棒６の端面６０の周縁部６２（図１（ｂ）参照）とその近傍を覆う短筒状に形成され且つ支持部３はいずれもブラケット４が設けられる側を支持するように略半円状に形成されている。よって、エンド部材１によって手摺り棒６が覆われている部分は、手摺り棒６の端面６０及び手摺り棒６の周縁部６２とその近傍、そして手摺り棒６の側周面６１のブラケット４側の一部となるので、エンド部材１が目立たず、手摺り棒６の端部への取付状態において、外観をすっきりと構成することができる。
【００２０】
以上、エンド部材１の大きさなどは図例に限定されるものではなく、特にその形状は手摺り棒６の端部の形状、大きさに応じて形成される。例えばキャップ部２の端面部２０は、手摺り棒６が角柱状からなる場合は、角柱状となり、支持部３も手摺り棒６の側周面に沿って略半方形状に形成される。
またエンド部材１の支持部３に設けられる開口部３０の形状、大きさなどはブラケット４の手摺り棒取付座４０の形状、大きさに応じて形成される。例えば手摺り棒取付座４０が平面視して円形状の場合は、開口部３０も平面視して円形状となる。
さらにエンド部材１の使用例は図４に限定されず、上述のように取付面５に対して長手方向縦向きに取付けられた手摺り棒６に設けられるものであってもよい。
【符号の説明】
【００２１】
１      エンド部材
２      キャップ部
２０      端面部
２１      筒部
３      支持部
３０      開口部
３１      段差部
４      ブラケット
５      取付面
６      手摺り棒
６０      端面
６１      側周面
６２      周縁部
７      固定具
【図１】
0005587588.tif 000002
【図２】
0005587588.tif 000003
【図３】
0005587588.tif 000004
【図４】
0005587588.tif 000005